(57)【特許請求の範囲】
【請求項１】
情報を表示する表示手段を含み、複数の静止画像を順次表示手段に表示するスライドショー機能を有する表示装置であって、
静止画像を表す画像データと該静止画像に関連する情報を文字列で表すメタデータとを対応付けて記憶する着脱可能な記憶手段と、
１つの静止画像を表示するための予め定める表示時間を記憶する第２の記憶手段と、
装着された記憶手段に記憶される画像データが表す静止画像をスライドショー機能によって順次表示手段に表示させるとき、表示手段に表示すべき静止画像の画像データに対応付けられるメタデータを記憶手段から読み出し、表示手段に表示すべき静止画像に、前記読み出したメタデータが表す文字列をテロップとして合成し、文字列を合成した静止画像を、第２の記憶手段に記憶される予め定める表示時間が経過するまで表示手段に表示させる制御手段であって、文字列をスクロールして表示手段に表示させる制御手段とを含み、
前記制御手段は、前記表示手段に表示する静止画像の画像データに対応付けられるメタデータが表す文字列をスクロールして表示するのに要するスクロール時間を算出し、算出したスクロール時間と第２の記憶手段に記憶される予め定める表示時間とを比較し、算出したスクロール時間が、第２の記憶手段に記憶される予め定める表示時間よりも長いとき、前記予め定める表示時間を前記スクロール時間に変更することを特徴とする表示装置。
【請求項２】
情報を表示する表示画面を有する表示手段を含み、複数の静止画像を順次表示手段に表示するスライドショー機能を有する表示装置であって、
静止画像を表す画像データと該静止画像に関連する情報を文字列で表すメタデータとを対応付けて記憶する着脱可能な記憶手段と、
１つの静止画像を表示するための予め定める表示時間を記憶する第２の記憶手段と、
装着された記憶手段に記憶される画像データが表す静止画像をスライドショー機能によって順次表示手段に表示させるとき、表示手段に表示すべき静止画像の画像データに対応付けられるメタデータを記憶手段から読み出し、表示手段に表示すべき静止画像に、前記読み出したメタデータが表す文字列をテロップとして合成し、文字列を合成した静止画像を、第２の記憶手段に記憶される予め定める表示時間が経過するまで表示手段に表示させる制御手段であって、表示画面の領域内に文字列をテロップとして表示するためのテロップ表示領域を形成し、前記メタデータが表す文字列の長さがテロップ表示領域の長手方向の長さ以上であるとき、前記メタデータが表す文字列をテロップ表示領域内でスクロールして表示手段に表示させる制御手段とを含み、
前記制御手段は、文字列をテロップ表示領域内でスクロールして表示させる場合、該文字列をスクロールして表示するのに要するスクロール時間を算出し、算出したスクロール時間と第２の記憶手段に記憶される予め定める表示時間とを比較し、算出したスクロール時間が、第２の記憶手段に記憶される予め定める表示時間よりも長いとき、前記予め定める表示時間を前記スクロール時間に変更することを特徴とする表示装置。
【請求項３】
前記表示手段は、表示画面を有し、
表示画面の領域のうち文字列をテロップとして表示する位置を指定する指定手段をさらに含み、
前記制御手段は、表示画面の領域のうち指定手段によって指定された位置に、前記メタデータが表す文字列をテロップとして表示することを特徴とする請求項１または２に記載の表示装置。
【請求項４】
情報を表示する表示手段と、静止画像を表す画像データと該静止画像に関連する情報を文字列で表すメタデータとを対応付けて記憶する記憶手段と、１つの静止画像を表示するための予め定める表示時間を記憶する第２の記憶手段とを含み、複数の静止画像を順次表示手段に表示するスライドショー機能を有する表示装置で静止画像を表示する表示方法であって、
装着された記憶手段に記憶される画像データが表す静止画像をスライドショー機能によって順次表示手段に表示させるとき、表示手段に表示すべき静止画像の画像データに対応付けられるメタデータを記憶手段から読み出す読出工程と、
表示手段に表示すべき静止画像に、読出工程で読み出したメタデータが表す文字列をテロップとして合成する合成工程と、
合成工程で文字列が合成された静止画像を、第２の記憶手段に記憶される予め定める表示時間が経過するまで表示手段に表示する表示工程であって、文字列をスクロールして表示手段に表示させる表示工程とを含み、
前記表示工程では、前記表示手段に表示する静止画像の画像データに対応付けられるメタデータが表す文字列をスクロールして表示するのに要するスクロール時間を算出し、算出したスクロール時間と第２の記憶手段に記憶される予め定める表示時間とを比較し、算出したスクロール時間が、第２の記憶手段に記憶される予め定める表示時間よりも長いとき、前記予め定める表示時間を前記スクロール時間に変更することを特徴とする表示方法。
【請求項５】
情報を表示する表示画面を有する表示手段と、静止画像を表す画像データと該静止画像に関連する情報を文字列で表すメタデータとを対応付けて記憶する記憶手段と、１つの静止画像を表示するための予め定める表示時間を記憶する第２の記憶手段とを含み、複数の静止画像を順次表示手段に表示するスライドショー機能を有する表示装置で静止画像を表示する表示方法であって、
装着された記憶手段に記憶される画像データが表す静止画像をスライドショー機能によって順次表示手段に表示させるとき、表示手段に表示すべき静止画像の画像データに対応付けられるメタデータを記憶手段から読み出す読出工程と、
表示手段に表示すべき静止画像に、読出工程で読み出したメタデータが表す文字列をテロップとして合成する合成工程と、
合成工程で文字列が合成された静止画像を、第２の記憶手段に記憶される予め定める表示時間が経過するまで表示手段に表示する表示工程であって、表示画面の領域内に文字列をテロップとして表示するためのテロップ表示領域を形成し、前記メタデータが表す文字列の長さがテロップ表示領域の長手方向の長さ以上であるとき、前記メタデータが表す文字列をテロップ表示領域内でスクロールして表示手段に表示させる表示工程とを含み、
前記表示工程では、文字列をテロップ表示領域内でスクロールして表示させる場合、該文字列をスクロールして表示するのに要するスクロール時間を算出し、算出したスクロール時間と第２の記憶手段に記憶される予め定める表示時間とを比較し、算出したスクロール時間が、第２の記憶手段に記憶される予め定める表示時間よりも長いとき、前記予め定める表示時間を前記スクロール時間に変更することを特徴とする表示方法。
【発明の詳細な説明】
【技術分野】
【０００１】
本発明は、テロップなどの文字情報を表示する表示装置および表示方法に関する。
【背景技術】
【０００２】
液晶ディスプレイなどの表示装置には、ユニバーサルシリアルバス（Universal Serial Bus：以下「ＵＳＢ」という）メモリを装着するだけで、ＵＳＢメモリに記憶される画像ファイルを順次表示するＵＳＢスライドショー機能を有するものがある。
【０００３】
特許文献１に記載される情報処理装置は、録画された放送番組の大まかな内容をユーザに直観的に理解するための表示画面において、コマーシャルを提供するものである。この情報処理装置は、ユーザが操作入力部によって指定された番組に対応する第１のメタデータを、メタデータ供給サーバから取得して記憶する。第１のメタデータは、番組本編部分およびＣＭ部分のテキスト、ならびに各テキストの開始時刻および終了時刻を含む。また、録画装置に録画されている録画データを再生させるためのアプリケーションの起動の指令を受けると、メタデータ供給サーバから第２のメタデータを取得して記憶する。第２のメタデータは、映像や音声からなるＣＭコンテンツデータに、バナーデータおよび付帯データが対応付けられているデータである。情報処理装置は、バナー表示のための条件が満たされると、第２のメタデータをもとに、広告バナーの表示画像データを生成する。そして、録画済番組一覧表示画面をテレビジョン受像機に表示するとともに、生成した広告バナーを同時に表示する。広告バナーの表示画像データは、テキストをビットマップで表わした画像データである。
【先行技術文献】
【特許文献】
【０００４】
【特許文献１】特開２００６−２６２０５８号公報
【発明の概要】
【発明が解決しようとする課題】
【０００５】
特許文献１に記載される情報処理装置のようにテキストを広告バナーで表示することや、デジタルサイネージとしてテロップなどで文字を表示することは、宣伝のポイントを明示することができるので有効である。しかしながら、ＵＳＢスライドショー機能では、文字のテロップを表示することはできない。ＵＳＢスライドショー機能で文字をテロップとして表示するためには、文字を表すテキストデータを画像データに変換し、変換した画像データを画像ファイルとしてＵＳＢメモリに記憶しておく必要がある。
【０００６】
本発明の目的は、スライドショー機能でテロップを表示することができる表示装置および表示方法を提供することである。
【課題を解決するための手段】
【０００７】
本発明は、情報を表示する表示手段を含み、複数の静止画像を順次表示手段に表示するスライドショー機能を有する表示装置であって、
静止画像を表す画像データと該静止画像に関連する情報を文字列で表すメタデータとを対応付けて記憶する着脱可能な記憶手段と、
１つの静止画像を表示するための予め定める表示時間を記憶する第２の記憶手段と、
装着された記憶手段に記憶される画像データが表す静止画像をスライドショー機能によって順次表示手段に表示させるとき、表示手段に表示すべき静止画像の画像データに対応付けられるメタデータを記憶手段から読み出し、表示手段に表示すべき静止画像に、前記読み出したメタデータが表す文字列をテロップとして合成し、文字列を合成した静止画像を、第２の記憶手段に記憶される予め定める表示時間が経過するまで表示手段に表示させる制御手段であって、文字列をスクロールして表示手段に表示させる制御手段とを含み、
前記制御手段は、前記表示手段に表示する静止画像の画像データに対応付けられるメタデータが表す文字列をスクロールして表示するのに要するスクロール時間を算出し、算出したスクロール時間と第２の記憶手段に記憶される予め定める表示時間とを比較し、算出したスクロール時間が、第２の記憶手段に記憶される予め定める表示時間よりも長いとき、前記予め定める表示時間を前記スクロール時間に変更することを特徴とする表示装置である。
【０００８】
また本発明は、情報を表示する表示画面を有する表示手段を含み、複数の静止画像を順次表示手段に表示するスライドショー機能を有する表示装置であって、
静止画像を表す画像データと該静止画像に関連する情報を文字列で表すメタデータとを対応付けて記憶する着脱可能な記憶手段と、
１つの静止画像を表示するための予め定める表示時間を記憶する第２の記憶手段と、
装着された記憶手段に記憶される画像データが表す静止画像をスライドショー機能によって順次表示手段に表示させるとき、表示手段に表示すべき静止画像の画像データに対応付けられるメタデータを記憶手段から読み出し、表示手段に表示すべき静止画像に、前記読み出したメタデータが表す文字列をテロップとして合成し、文字列を合成した静止画像を、第２の記憶手段に記憶される予め定める表示時間が経過するまで表示手段に表示させる制御手段であって、表示画面の領域内に文字列をテロップとして表示するためのテロップ表示領域を形成し、前記メタデータが表す文字列の長さがテロップ表示領域の長手方向の長さ以上であるとき、前記メタデータが表す文字列をテロップ表示領域内でスクロールして表示手段に表示させる制御手段とを含み、
前記制御手段は、文字列をテロップ表示領域内でスクロールして表示させる場合、該文字列をスクロールして表示するのに要するスクロール時間を算出し、算出したスクロール時間と第２の記憶手段に記憶される予め定める表示時間とを比較し、算出したスクロール時間が、第２の記憶手段に記憶される予め定める表示時間よりも長いとき、前記予め定める表示時間を前記スクロール時間に変更することを特徴とする表示装置である。
【０００９】
また本発明は、前記表示手段は、表示画面を有し、
表示画面の領域のうち文字列をテロップとして表示する位置を指定する指定手段をさらに含み、
前記制御手段は、表示画面の領域のうち指定手段によって指定された位置に、前記メタデータが表す文字列をテロップとして表示することを特徴とする。
【００１０】
また本発明は、情報を表示する表示手段と、静止画像を表す画像データと該静止画像に関連する情報を文字列で表すメタデータとを対応付けて記憶する記憶手段と、１つの静止画像を表示するための予め定める表示時間を記憶する第２の記憶手段とを含み、複数の静止画像を順次表示手段に表示するスライドショー機能を有する表示装置で静止画像を表示する表示方法であって、
装着された記憶手段に記憶される画像データが表す静止画像をスライドショー機能によって順次表示手段に表示させるとき、表示手段に表示すべき静止画像の画像データに対応付けられるメタデータを記憶手段から読み出す読出工程と、
表示手段に表示すべき静止画像に、読出工程で読み出したメタデータが表す文字列をテロップとして合成する合成工程と、
合成工程で文字列が合成された静止画像を、第２の記憶手段に記憶される予め定める表示時間が経過するまで表示手段に表示する表示工程であって、文字列をスクロールして表示手段に表示させる表示工程とを含み、
前記表示工程では、前記表示手段に表示する静止画像の画像データに対応付けられるメタデータが表す文字列をスクロールして表示するのに要するスクロール時間を算出し、算出したスクロール時間と第２の記憶手段に記憶される予め定める表示時間とを比較し、算出したスクロール時間が、第２の記憶手段に記憶される予め定める表示時間よりも長いとき、前記予め定める表示時間を前記スクロール時間に変更することを特徴とする表示方法である。
【００１１】
また本発明は、情報を表示する表示画面を有する表示手段と、静止画像を表す画像データと該静止画像に関連する情報を文字列で表すメタデータとを対応付けて記憶する記憶手段と、１つの静止画像を表示するための予め定める表示時間を記憶する第２の記憶手段とを含み、複数の静止画像を順次表示手段に表示するスライドショー機能を有する表示装置で静止画像を表示する表示方法であって、
装着された記憶手段に記憶される画像データが表す静止画像をスライドショー機能によって順次表示手段に表示させるとき、表示手段に表示すべき静止画像の画像データに対応付けられるメタデータを記憶手段から読み出す読出工程と、
表示手段に表示すべき静止画像に、読出工程で読み出したメタデータが表す文字列をテロップとして合成する合成工程と、
合成工程で文字列が合成された静止画像を、第２の記憶手段に記憶される予め定める表示時間が経過するまで表示手段に表示する表示工程であって、表示画面の領域内に文字列をテロップとして表示するためのテロップ表示領域を形成し、前記メタデータが表す文字列の長さがテロップ表示領域の長手方向の長さ以上であるとき、前記メタデータが表す文字列をテロップ表示領域内でスクロールして表示手段に表示させる表示工程とを含み、
前記表示工程では、文字列をテロップ表示領域内でスクロールして表示させる場合、該文字列をスクロールして表示するのに要するスクロール時間を算出し、算出したスクロール時間と第２の記憶手段に記憶される予め定める表示時間とを比較し、算出したスクロール時間が、第２の記憶手段に記憶される予め定める表示時間よりも長いとき、前記予め定める表示時間を前記スクロール時間に変更することを特徴とする表示方法である。
【発明の効果】
【００１３】
本発明によれば、情報を表示する表示手段を含み、複数の静止画像を順次表示手段に表示するスライドショー機能を有する表示装置で静止画像を表示するにあたって、着脱可能な記憶手段は、静止画像を表す画像データと該静止画像に関連する情報を文字列で表すメタデータとを対応付けて記憶する。第２の記憶手段は、１つの静止画像を表示するための予め定める表示時間を記憶する。そして、制御手段は、装着された記憶手段に記憶される画像データが表す静止画像をスライドショー機能によって順次表示手段に表示させるとき、表示手段に表示すべき静止画像の画像データに対応付けられるメタデータを記憶手段から読み出し、表示手段に表示すべき静止画像に、前記読み出したメタデータが表す文字列をテロップとして合成し、文字列を合成した静止画像を、第２の記憶手段に記憶される予め定める表示時間が経過するまで表示手段に表示させる。したがって、ユーザコメントなどの文字列をメタデータとして着脱可能な記憶手段に記憶しておけば、スライドショー機能でテロップを表示することができる。
【００１４】
また、前記制御手段は、文字列をスクロールして表示手段に表示させるので、メタデータが表す文字列、たとえばユーザコメントを目立つように表示することができる。
【００１５】
また、前記表示手段は、表示画面を有する。そして、前記制御手段は、表示画面の領域内に文字列をテロップとして表示するためのテロップ表示領域を形成し、前記メタデータが表す文字列の長さがテロップ表示領域の長手方向の長さ以上であるとき、前記メタデータが表す文字列をテロップ表示領域内でスクロールして表示手段に表示させる。したがって、文字数の多い文字列を表示することができる。
【００１６】
また、前記制御手段は、文字列をスクロールして表示手段に表示させる場合には、前記表示手段に表示する静止画像の画像データに対応付けられるメタデータが表す文字列をスクロールして表示するのに要するスクロール時間が、第２の記憶手段に記憶される予め定める表示時間よりも長いとき、予め定める表示時間を前記スクロール時間に変更する。したがって、静止画像の表示時間が短い場合には、スクロールする文字列の表示が完了するまで表示時間が自動的に延長されるので、ユーザの利便性が向上する。
【００１７】
また本発明によれば、前記表示手段は、表示画面を有する。指定手段は、表示画面の領域のうち文字列をテロップとして表示する位置を指定する。そして、前記制御手段は、表示画面の領域のうち指定手段によって指定された位置に、前記メタデータが表す文字列をテロップとして表示する。したがって、ユーザは、テロップを表示する位置を事前に設定することによって、所望の位置にテロップを表示することができる。
【００１８】
また本発明によれば、情報を表示する表示手段と、静止画像を表す画像データと該静止画像に関連する情報を文字列で表すメタデータとを対応付けて記憶する記憶手段と、１つの静止画像を表示するための予め定める表示時間を記憶する第２の記憶手段とを含み、複数の静止画像を順次表示手段に表示するスライドショー機能を有する表示装置で静止画像を表示する表示方法で静止画像を表示するにあたって、読出工程では、装着された記憶手段に記憶される画像データが表す静止画像をスライドショー機能によって順次表示手段に表示させるとき、表示手段に表示すべき静止画像の画像データに対応付けられるメタデータを記憶手段から読み出す。合成工程では、表示手段に表示すべき静止画像に、読出工程で読み出したメタデータが表す文字列をテロップとして合成する。そして、表示工程では、合成工程で文字列が合成された静止画像を、第２の記憶手段に記憶される予め定める表示時間が経過するまで表示手段に表示し、文字列をスクロールして表示手段に表示させる。表示工程では、前記表示手段に表示する静止画像の画像データに対応付けられるメタデータが表す文字列をスクロールして表示するのに要するスクロール時間を算出し、算出したスクロール時間と第２の記憶手段に記憶される予め定める表示時間とを比較し、算出したスクロール時間が、第２の記憶手段に記憶される予め定める表示時間よりも長いとき、前記予め定める表示時間を前記スクロール時間に変更する。したがって、ユーザコメントなどの文字列をメタデータとして着脱可能な記憶手段に記憶しておけば、スライドショー機能でテロップを表示することができる。さらに、静止画像の表示時間が短い場合には、スクロールする文字列の表示が完了するまで表示時間が自動的に延長されるので、ユーザの利便性が向上する。
また本発明によれば、情報を表示する表示画面を有する表示手段と、静止画像を表す画像データと該静止画像に関連する情報を文字列で表すメタデータとを対応付けて記憶する記憶手段と、１つの静止画像を表示するための予め定める表示時間を記憶する第２の記憶手段とを含み、複数の静止画像を順次表示手段に表示するスライドショー機能を有する表示装置で静止画像を表示する表示方法で静止画像を表示するにあたって、読出工程では、装着された記憶手段に記憶される画像データが表す静止画像をスライドショー機能によって順次表示手段に表示させるとき、表示手段に表示すべき静止画像の画像データに対応付けられるメタデータを記憶手段から読み出す。合成工程では、表示手段に表示すべき静止画像に、読出工程で読み出したメタデータが表す文字列をテロップとして合成する。そして、表示工程では、合成工程で文字列が合成された静止画像を、第２の記憶手段に記憶される予め定める表示時間が経過するまで表示手段に表示し、表示画面の領域内に文字列をテロップとして表示するためのテロップ表示領域を形成し、前記メタデータが表す文字列の長さがテロップ表示領域の長手方向の長さ以上であるとき、前記メタデータが表す文字列をテロップ表示領域内でスクロールして表示手段に表示させる。表示工程では、前記表示手段に表示する静止画像の画像データに対応付けられるメタデータが表す文字列をスクロールして表示するのに要するスクロール時間を算出し、算出したスクロール時間と第２の記憶手段に記憶される予め定める表示時間とを比較し、算出したスクロール時間が、第２の記憶手段に記憶される予め定める表示時間よりも長いとき、前記予め定める表示時間を前記スクロール時間に変更する。したがって、ユーザコメントなどの文字列をメタデータとして着脱可能な記憶手段に記憶しておけば、スライドショー機能でテロップを表示することができる。さらに、静止画像の表示時間が短い場合には、スクロールする文字列の表示が完了するまで表示時間が自動的に延長されるので、ユーザの利便性が向上する。
【図面の簡単な説明】
【００１９】
【図１】本発明の一実施形態である表示装置１の構成を示すブロック図である。
【図２】メタデータ９４が付加されている画像ファイル９３を説明するための図である。
【図３】ユーザコメントのメタデータが記憶されるＵＳＢメモリ９０のアドレスを説明するための図である。
【図４】テロップの表示例を示す図である。
【図５】スライドショー処理部８０によって設定可能な表示位置の例を示す図である。
【図６】スライドショー処理の処理手順を示すフローチャートである。
【発明を実施するための形態】
【００２０】
図１は、本発明の一実施形態である表示装置１の構成を示すブロック図である。本発明に係る表示方法は、表示装置１で実行される。表示装置１は、スライドショー機能を有するディスプレイ装置、あるいはスライドショー機能を有するパーソナルコンピュータあるいはスライドショー機能を有する携帯端末装置などの情報処理装置によって構成される。スライドショー機能は、複数の静止画像を予め定める時間間隔で順次１つずつ表示画面に表示する機能である。
【００２１】
表示装置１は、制御部１０、表示部２０、操作入力部３０、リードオンリーメモリ（Read Only Memory：以下「ＲＯＭ」という）４０、ランダムアクセスメモリ（Random Access Memory：以下「ＲＡＭ」という）５０、ユニバーサルシリアルバス（Universal Serial Bus：以下「ＵＳＢ」という）処理部６０、メタデータ処理部７０、スライドショー処理部８０およびＵＳＢメモリ９０を含んで構成される。
【００２２】
制御手段である制御部１０は、たとえばマイクロプロセッサ(Microprocessor)、プログラミングすることができるＬＳＩ(Large Scale Integration)であるＦＰＧＡ(Field Programmable Gate Array)、特定の用途のために設計、製造される集積回路であるＡＳＩＣ(Application Specific Integrated Circuit)、およびその他の演算機能を有する電子回路のうちのいずれかによって構成される。制御部１０は、ＲＯＭ４０に記憶されるプログラムを実行することによって、表示部２０、操作入力部３０、ＵＳＢ処理部６０、メタデータ処理部７０およびスライドショー処理部８０を制御する。
【００２３】
表示手段である表示部２０は、たとえばブラウン管映像表示装置、あるいは液晶モニタモジュール装置などによって構成される。表示部２０は、制御部１０から入力される映像信号を表示する。表示部２０は、コントローラ２１、ビデオＲＡＭ（以下「ＶＲＡＭ」という）２２および液晶モニタ２３を含んで構成される。
【００２４】
コントローラ２１は、制御部１０から受け取る映像信号を映像データとしてＶＲＡＭ２２に記憶する。映像信号は、デジタル信号の電気信号である。ＶＲＡＭ２２は、たとえば半導体メモリによって構成される。ＶＲＡＭ２２は、コントローラ２１から受け取る映像データを記憶する。ＶＲＡＭ２２に記憶されるデータは、コントローラ２１によって書き込みおよび読み出しが行われる。コントローラ２１は、ＶＲＡＭ２２に記憶される映像データをＶＲＡＭ２２から読み出し、読み出した映像データを液晶モニタ２３に送る。液晶モニタ２３は、表示画面を有し、コントローラ２１から受け取る映像データを映像として表示画面に表示する。
【００２５】
指定手段である操作入力部３０は、情報を入力するための入力装置であり、たとえばリモートコントローラあるいはタッチパネルによって構成される。操作入力部３０は、入力された情報を制御部１０に送る。ＲＯＭ４０は、たとえば半導体メモリによって構成され、制御部１０で実行されるプログラムを記憶する。ＲＯＭ４０に記憶されるプログラムは、制御部１０によって読み出されて実行される。
【００２６】
ＲＡＭ５０は、たとえば半導体メモリによって構成される。ＲＡＭ５０は、制御部１０がプログラムを実行するために必要な情報を一時的に記憶するワークメモリである。ＲＡＭ５０に記憶されるデータは、制御部１０によって書き込みおよび読み出しが行われる。ＲＡＭ５０は、たとえばフォルダ情報５１、画像情報５２、メタデータ情報５３およびスライドショー情報５４を記憶する。
【００２７】
フォルダ情報５１は、ＵＳＢメモリ９０から読み込んだフィルダの構成を表すフォルダ構成データである。画像情報５２は、ＵＳＢメモリ９０から読み込んだ画像データである。画像データは、静止画像の画像データである。メタデータ情報５３は、ＵＳＢメモリ９０から読み込んだメタデータである。メタデータは、画像データに関連する情報を文字列で表すデータである。文字列を構成する文字は、ひらがな、カタカナ、漢字、英字、数字、および句読点などの記号を含む。スライドショー情報５４は、スライドショー処理部８０に設定されたスライドショー設定８１と同じ情報である。
【００２８】
ＵＳＢ処理部６０は、ＵＳＢを装着するための図示しないＵＳＢ端子を有し、ＵＳＢ端子に装着されるＵＳＢメモリに記憶されるデータを読み出し、読み出したデータを制御部１０に送る。図１に示した表示装置１では、表示装置１に着脱可能な外部記憶装置として、ＵＳＢメモリを用いているが、ＵＳＢメモリに限定されるものではなく、着脱可能な外部記憶装置であれば他の外部記憶装置でもよい。
【００２９】
メタデータ処理部７０は、メタデータの抽出などの処理を行う。メタデータ処理部７０は、文字列変換処理部７１および映像変換処理部７２を含んで構成される。文字列変換処理部７１は、後述するユーザコメントのメタデータを文字列に変換する。映像変換処理部７２は、文字列変換処理部７１によって変換された文字列を、表示部２０に映像として表示するための画像データに変換する。以下、文字列の画像データのことを文字列画像データといい、画像情報５２として記憶されていた静止画像の画像データを静止画像データという。
【００３０】
第２の記憶手段であるスライドショー処理部８０は、テロップを表示するための情報、たとえば表示方向、表示位置、スクロールの有無、および使用するフォントなどの情報を設定する処理を行う。スライドショー処理部８０は、半導体メモリなどによって構成される図示しない記憶部を含み、設定された情報をスライドショー設定８１として記憶部に記憶する。スライドショー処理部８０は、スライドショー設定時、たとえばスライドショー開始前に、ユーザによる操作入力部３０の操作に応答して、スライドショー設定８１を設定する。
【００３１】
スライドショー設定８１は、ファイル再生時間８２およびテロップ情報８３を含む。テロップ情報８３は、表示方向８４、フォント８５、表示位置８６およびスクロール８７の情報を含む。予め定める表示時間であるファイル再生時間８２は、１つの静止画像を表示する時間である。制御部１０は、ファイル再生時間８２に設定されている再生時間間隔で、表示部２０に表示する静止画像を次の静止画像に変える。
【００３２】
表示方向８４は、テロップを表示する方向を示す情報である。表示方向８４には、「縦」または「横」が設定される。「縦」は、縦方向、つまり縦書きで表示することを示し、「横」は、横方向、つまり横書きで表示することを示す。フォント８５は、テロップに表示する文字のサイズである。このフォント８５設定されているサイズに基づいてテロップに表示するテロップの長さ、つまり文字列の長さが計算される。フォント８５には、各文字の縦方向のサイズおよび横方向のサイズが設定される。
【００３３】
表示位置８６は、後述するテロップ表示領域のうちどの位置のテロップ表示領域に表示するかを表す情報である。後述する表示位置Ｐ１〜Ｐ４のうちのいずれか１つの位置が設定される。スクロール８７は、スクロール有効無効を表す情報、すなわちスクロールを有効にするか無効にするかを表す情報である。スクロール８７には、「有効」または「無効」が設定される。「有効」は、スクロールすることを示し、「無効」は、スクロールしないことを示す。
【００３４】
記憶手段であるＵＳＢメモリ９０は、表示装置１に着脱可能なＵＳＢメモリによって構成される。ＵＳＢメモリ９０には、情報を記憶するための領域である情報記憶部９１が形成される。情報記憶部９１は、ＵＳＢメモリ９０に形成される記憶領域である。情報記憶部９１は、スライドショーとして表示するための複数の画像ファイル９３を記憶する。複数の画像ファイル９３は、画像フォルダ９２単位にまとめられて情報記憶部９１に記憶される。画像ファイル９３は、ユーザによって予めＵＳＢメモリ９０に記憶される。
【００３５】
画像フォルダ９２は、フォルダ構成データを含む。フォルダ構成データは、画像フォルダ９２に含まれる画像ファイル９３が画像フォルダ９２にどのような構成で収容されているかを示す情報である。具体的には、フォルダ構成データは、画像フォルダ９２に含まれる画像ファイル９３が記憶されているメモリアドレスなどの情報である。図２に示した情報記憶部９１には、ファイル名「ｉｍａｇｅ（１）．ｊｐｇ」,「ｉｍａｇｅ（２）．ｊｐｇ」, 「ｉｍａｇｅ（３）．ｊｐｇ」などの画像ファイル９３が記憶されていることを示している。
【００３６】
画像ファイル９３は、画像データおよびその画像データに付加されたメタデータを含む。画像データは、静止画像を表すデータである。メタデータは、同じ画像ファイル９３に含まれる画像データによって表される静止画像に関するデータであり、メタデータについては、図２でさらに詳述する。
【００３７】
図２は、メタデータ９６が付加されている画像ファイル９５を説明するための図である。図２には、ファイル名「ｉｍａｇｅ．ｊｐｇ」の画像ファイル９５が示され、その下側に、その画像ファイル９５に付加されているメタデータ９６が示されている。
【００３８】
メタデータ９６は、画像ファイル９５に記憶される画像データが表す静止画像に関するデータである。メタデータ９６は、「全般」、「セキュリティ」、「詳細」および「以前のバージョン」に分類されている。「詳細」に分類されているデータには、「プロパティ」に関するデータがある。さらに、「プロパティ」に関するデータの中に、「コメント」を表すデータがある。「コメント」を表すデータは、ユーザコメントが記憶される。ユーザコメントは、「コメント」を表すデータの中で、「元の場所」で示されるコメント欄９７に記憶される。ユーザコメントは、ユーザが操作入力部３０を操作して、コメント欄９７に入力することができる。図２に示したコメント欄９７には、「テロップを表示します」というコメントが入力されている。
【００３９】
ＪＰＧファイルなどのユーザコメントは、ユーザがその画像ファイルに関する補足情報として用いられるだけであるが、本発明に係る表示装置１は、コメント欄９７に入力された文字列をテロップとして表示可能にするものである。
【００４０】
図３は、ユーザコメントのメタデータが記憶されるＲＡＭ５０のアドレスを説明するための図である。制御部１０は、ＵＳＢメモリ９０が装着されると、ＵＳＢ処理部６０によってＵＳＢメモリ９０から読み出された画像情報５２およびメタデータ情報５３を、ＵＳＢ処理部６０から受け取り、受け取った画像情報５２およびメタデータ情報５３をＲＡＭ５０に書き込んで記憶する。
【００４１】
図３に示したデータ１００およびデータ１１０は、ＲＡＭ５０に記憶されているメタデータの一部を、エディタによって人が認識できる形式に編集して表示したものである。データ１００およびデータ１１０は、アドレス欄１０１、補足説明欄１０２およびデータ欄１０３に分けられている。データ１００およびデータ１１０は、複数の行からなっており、各行に、左側からアドレス欄１０１の内容、補足説明欄１０２の内容およびデータ欄１０３の内容が示される。
【００４２】
アドレス欄１０１は、ＲＡＭ５０のメモリアドレスを５桁の１６進数の数字で表わしている。補足説明欄１０２は、同じ行のアドレス欄１０１が示すアドレスに記憶されるデータの説明を、テキストで表している。データ欄１０３は、同じ行のアドレス欄１０１が示すアドレスに記憶されるデータを、１６進数の数字で表わしている。
【００４３】
図３に示したデータ１００およびデータ１１０は、圧縮ファイルであるＪＰＧ（Joint Photographic Experts Group）ファイルの画像ファイルの例である。ＪＰＧファイルの場合、フォルダ情報にＥｘｉｆ（Exchangeable Image File Format）情報が定義されている。Ｅｘｉｆ情報には、「画像の幅」および「画像の高さ」などのタグが付けらており、それぞれのタグに識別情報（以下「タグＩＤ」という）が割り振られている。たとえば、「画像の幅」であれば、タグＩＤは、「２５６」（１０進数）である。タグＩＤが割り振られているか否かで、そのタグＩＤのメタデータが付加されているか否かを判断することができる。
【００４４】
また、ＪＰＧファイルの場合、アドレス「０００００」から画像情報が記憶され、画像情報に続いてメタデータが記憶される。データ１００のアドレス欄１０１が示すアドレス「００８６Ａ」は、ユーザコメントのタグＩＤが割り振られるアドレスである。ユーザコメントのタグＩＤは「３７５１０」（１０進数）であり、１６進数では「９２８６」である。
【００４５】
図３に示したデータ１００では、アドレス欄１０１が「００８６Ａ」の行の補足説明欄１０２には、「＜ユーザコメント＞［０］」と示され、同じ行のデータ欄１０３には、「９２８６」と示されている。すなわち、ユーザコメントのタグＩＤ［９２８６］が、アドレス「００８６Ａ」に割り振られているので、ユーザコメントのメタデータが付加されていることがわかる。
【００４６】
データ１００のアドレス欄１０１が示すアドレス「００８７２」には、ユーザコメントが記憶されているアドレスが記憶されている。図３に示したデータ１００では、アドレス欄１０１が示すアドレス「００８７２」の行の補足説明欄１０２には、「＝＝＝＞Ｐｏｉｎｔｅｒ（００００１０５６）［０］」と示され、同じ行のデータ欄１０３には、「００  ００  １０  ３８」と示されている。すなわち、ポインタが示すアドレス「０１０５６」に、ユーザコメントが記憶されていることを示している。
【００４７】
ＪＰＧファイルの場合、データ欄１０３の「００  ００  １０  ３８」という値は、ＴＩＦＦ（Tagged Image File Format）ヘッダの先頭アドレスからユーザコメントのメタデータのアドレスへのオフセットである。ＴＩＦＦヘッダの先頭アドレスが「０００１Ｅ」（１６進数）であるので、ユーザコメントのメタデータのアドレスは、「０００１Ｅ」＋「００００１０３８」＝「０１０５６」となり、補足説明欄１０２のポインタの値が「００００１０５６」となっている。
【００４８】
データ１１０は、データ１００のポインタが示すアドレス「０１０５６」に記憶されるユーザコメントの例を示す。アドレス「０１０５６」の行のデータ欄１０３には、「５５  ４Ｆ  ４９  ４３  ４Ｆ  ４４  ４５  ００  Ｃ６  ３０  ＥＤ  ３０  Ｃ３  ３０  Ｄ７  ３０」と示され、アドレス「０１０６６」の行のデータ欄１０３には、「９２  ３０  ６８  ８８  ３Ａ  ７９  ５７  ３０  ７Ｆ  ３０  ５９  ３０」と示されている。このユーザコメントのうち、「Ｃ６  ３０」は「テ」の文字、「ＥＤ  ３０」は「ロ」の文字、「Ｃ３  ３０」は「ッ」の文字、「Ｄ７  ３０」は「プ」の文字、「９２  ３０」は「を」の文字、「６８  ８８」は「表」の文字、「３Ａ  ７９」は「示」の文字、「５７  ３０」は「し」の文字、「７Ｆ  ３０」は「ま」の文字、および「５９  ３０」は「す」の文字を表すので、ユーザコメント１１１としては、「テロップを表示します」という文字列からなるコメントであることを表している。
【００４９】
図４は、テロップの表示例を示す図である。図４（ａ）は、スライドショーで１つの静止画像が表示されているときに、テロップ表示領域１２１に、図３に示したユーザコメント「テロップを表示します」というテロップが表示される表示画面１２０の例である。図４（ｂ）は、スライドショーで１つの静止画像が表示されているときに、テロップ表示領域１３１に、図３に示したユーザコメント「テロップを表示します」というテロップが表示される表示画面１３０の例である。
【００５０】
テロップ表示領域１２１は、文字列を横書きでテロップとして表示するための領域である。図４（ａ）に示した表示画面１２０では、テロップ表示領域１２１が表示画面の下端部に形成されている。テロップ表示領域１３１は、文字列を縦書きでテロップとして表示するための領域である。図４（ｂ）に示した表示画面１３０では、テロップ表示領域１３１が表示画面の右端部に形成されている。
【００５１】
図５は、スライドショー処理部８０によって設定可能な表示位置の例を示す図である。図５（ａ）は、横書きの場合に選択可能な表示位置を示す表示画面１４０の例であり、図５（ｂ）は、縦書きの場合に選択可能な表示位置を示す表示画面１５０の例である。
【００５２】
図５（ａ）に示した表示画面１４０では、表示画面１４０が４つの横長の矩形領域に分割され、各矩形領域には、表示画面１４０に向かって上側から、表示位置Ｐ１、表示位置Ｐ２、表示位置Ｐ３、および表示位置Ｐ４と命名されている。ユーザは、操作入力部３０による操作によって、これらの４つの表示位置の中から所望の表示位置を選択することができる。選択された表示位置は、スライドショー設定８１の表示位置８６として記憶される。
【００５３】
図５（ｂ）に示した表示画面１５０では、表示画面１５０が４つの縦長の矩形領域に分割され、各矩形領域には、表示画面１５０に向かって左側から、表示位置Ｐ１、表示位置Ｐ２、表示位置Ｐ３、および表示位置Ｐ４と命名されている。ユーザは、操作入力部３０による操作によって、これらの４つの表示位置の中から所望の表示位置を選択することができる。選択された表示位置は、スライドショー設定８１の表示位置８６として記憶される。
【００５４】
図６は、スライドショー処理の処理手順を示すフローチャートである。ＵＳＢメモリ９０が装着されたことをＵＳＢ処理部６０が検出し、制御部１０が、ＵＳＢ処理部６０からＵＳＢメモリ９０が装着されたことを知らされたとき、または、たとえば表示部２０に表示されるメニューから操作入力部３０によってスライドショー機能が選択されたとき、ステップＡ１に移る。
【００５５】
ステップＡ１では、制御部１０は、スライドショー処理部８０からスライドショー設定８１をＲＡＭ５０に読み込む。具体的には、制御部１０は、スライドショー処理部８０からスライドショー設定８１を読み出し、読み出したスライドショー設定８１をスライドショー情報５４としてＲＡＭ５０に書き込んで記憶する。したがって、スライドショー情報５４は、ファイル再生時間８２およびテロップ情報８３を含む。テロップ情報８３は、表示方向８４、フォント８５、表示位置８６およびスクロール８７の情報を含む。
【００５６】
読出工程であるステップＡ２では、制御部１０は、ＵＳＢメモリ９０から再生ファイル、つまり画像ファイルをＲＡＭ５０に読み込む。具体的には、制御部１０は、ＵＳＢ処理部６０がＵＳＢメモリ９０から読み出した画像ファイル、すなわち画像データおよびメタデータを受け取り、受け取った画像データを画像情報５２としてＲＡＭ５０に書き込んで記憶し、受け取ったメタデータをメタデータ情報５３としてＲＡＭ５０に書き込んで記憶する。
【００５７】
ステップＡ３では、制御部１０は、メタデータが付加されているか否かを判定する。メタデータ情報５３に含まれるタグＩＤに、ユーザコメントのタグＩＤが割り振られているとき、メタデータが付加されていると判定し、ステップＡ４に進む。メタデータ情報５３に含まれるタグＩＤに、ユーザコメントのタグＩＤが割り振られていないとき、メタデータが付加されていないと判定し、ステップＡ１３に進む。
【００５８】
ステップＡ４では、制御部１０は、メタデータの場所、つまりアドレスを特定する。具体的には、制御部１０は、ユーザコメントのメタデータのアドレスを、たとえば、図３に示した例のように、データ１００のアドレス「００８７２」が示すポインタの値「００００１０５６」として特定する。ステップＡ５では、制御部１０は、メタデータを抽出する。具体的には、制御部１０は、ステップＡ４で特定したアドレス、すなわち特定したポインタの値のアドレスから、図３に示した例のように、ユーザコメントのメタデータを読み出す。ステップＡ６では、制御部１０は、文字列変換処理部７１によってメタデータを、図３に示した例のように、文字列に変換する。
【００５９】
ステップＡ７では、制御部１０は、スクロール有効無効設定は有効か否かを判定する。制御部１０は、ＲＡＭ５０に記憶されるスライドショー情報５４に含まれるスクロール８７に「有効」が設定されているとき、スクロール有効無効設定は有効であると判定し、ステップＡ１５に進む。ＲＡＭ５０に記憶されるスライドショー情報５４に含まれるスクロール８７に「無効」が設定されているとき、スクロール有効無効設定は有効でないと判定し、ステップＡ８に進む。ステップＡ８では、制御部１０は、「スクロール無し」をスクロールの有無を示すフラグとしてＲＡＭ５０に記憶する。
【００６０】
ステップＡ９では、制御部１０は、再生ファイルの映像を表示する。具体的には、ＲＡＭ５０に記憶される画像情報５２の中から表示すべき再生ファイル、すなわち画像ファイルに含まれる静止画像データを読み出し、読み出した静止画像データを表示部２０に送る。表示部２０は、制御部１０から受け取った静止画像データを映像として表示する。
【００６１】
ステップＡ１０では、制御部１０は、テロップ表示位置にテロップを表示する。具体的には、制御部１０は、ステップＡ６で変換した文字列を、映像変換処理部７２によって、文字列画像データに変換する。映像変換処理部７２は、制御部１０から受け取るスライドショー情報５４に基づいて、制御部１０から受け取る文字列を文字列画像データに変換する。
【００６２】
より詳細には、映像変換処理部７２は、制御部１０から受け取る文字列を、スライドショー情報５４に含まれるフォント８５に設定されているサイズで、スライドショー情報５４に含まれる表示方向８４に設定されている方向に表示される文字列画像データに変換する。そして、変換した文字列画像データを、制御部１０に送る。制御部１０は、映像変換処理部７２から受け取った文字列画像データを、表示画面の領域のうち、スライドショー情報５４に含まれる表示位置８６に設定されている位置に表示されるように、静止画像データに合成し、合成した画像データを表示部２０に送る。表示部２０は、制御部１０から受け取った合成された画像データを映像として表示する。ステップＡ９，Ａ１０は、合成工程および表示工程である。
【００６３】
ステップＡ１１では、制御部１０は、「スクロール有り」であるか否かを判定する。ＲＡＭ５０に記憶されるスクロールの有無を示すフラグが「スクロール有り」のとき、「スクロール有り」であると判定し、ステップＡ２０に進む。ＲＡＭ５０に記憶されるスクロールの有無を示すフラグが「スクロール無し」のとき、「スクロール有り」でないと判定し、ステップＡ１２に進む。
【００６４】
ステップＡ１２では、制御部１０は、設定された再生時間が経過したか否かを判定する。具体的には、表示装置１は、図示しない計時手段を有し、制御部１０は、計時手段が計時する時間に基づいて、現在表示している静止画像の表示を開始した時点から、ＲＡＭ５０に記憶されるスライドショー情報５４に含まれるファイル再生時間８２が示す再生時間が経過したか否かを判断する。再生時間が経過したとき、ステップＡ２に戻り、再生時間が経過しなかったとき、ステップＡ１２に戻る。
【００６５】
ステップＡ１３では、制御部１０は、再生ファイルの映像を表示する。具体的には、ＲＡＭ５０に記憶される画像情報５２の中から表示すべき再生ファイル、すなわち画像ファイルに含まれる画像データを読み出し、読み出した画像データを表示部２０に送る。表示部２０は、制御部１０から受け取った画像データを映像として表示する。
【００６６】
ステップＡ１４では、制御部１０は、設定された再生時間が経過したか否かを判定する。具体的には、制御部１０は、現在表示している静止画像の表示を開始した時点から、ＲＡＭ５０に記憶されるスライドショー情報５４に含まれるファイル再生時間８２が示す再生時間が経過したとき、ステップＡ２に戻り、現在表示している静止画像の表示を開始した時点から、ＲＡＭ５０に記憶されるスライドショー情報５４に含まれるファイル再生時間８２が示す再生時間が経過しなかったとき、ステップＡ１４に戻る。
【００６７】
ステップＡ１５では、制御部１０は、テロップ表示方向が縦であるか否かを判定する。制御部１０は、ＲＡＭ５０に記憶されるスライドショー情報５４に含まれる表示方向８４に「縦」が設定されているとき、テロップ表示方向が縦であると判定し、ステップＡ１８に進む。ＲＡＭ５０に記憶されるスライドショー情報５４に含まれる表示方向８４に「横」が設定されているとき、テロップ表示方向が縦でないと判定し、ステップＡ１６に進む。
【００６８】
ステップＡ１６では、制御部１０は、テロップが横サイズ以上であるか否かを判定する。横サイズは、横書き用のテロップ表示領域、つまり図５（ａ）に示したテロップ表示領域の長手方向、つまり横方向の長さであり、たとえば表示画面の横方向の長さである。制御部１０は、テロップの長さを、ＲＡＭ５０に記憶されるスライドショー情報５４に含まれるフォント８５の横方向のサイズに基づいて、文字列に含まれるすべての文字の横方向のサイズを合計する。制御部１０は、合計した値が横サイズ以上であるとき、テロップが横サイズ以上であると判定し、ステップＡ１７に進む。合計した値が横サイズ以上でないとき、テロップが横サイズ以上でないと判定し、ステップＡ８に進む。ステップＡ１７では、制御部１０は、「スクロール有り」をスクロールの有無を示すフラグとしてＲＡＭ５０に記憶し、ステップＡ９に進む。
【００６９】
ステップＡ１８では、制御部１０は、テロップが縦サイズ以上であるか否かを判定する。縦サイズは、縦書き用のテロップ表示領域、つまり図５（ｂ）に示したテロップ表示領域の長手方向、つまり縦方向の長さであり、たとえば表示画面の縦方向の長さである。制御部１０は、ＲＡＭ５０に記憶されるスライドショー情報５４に含まれるフォント８５の縦方向のサイズに基づいて、文字列に含まれるすべての文字の縦方向のサイズを合計し、合計した値をテロップの長さとして算出する。制御部１０は、テロップの長さが縦サイズ以上であるとき、テロップが縦サイズ以上であると判定し、ステップＡ１７に進む。テロップの長さが縦サイズ以上でないとき、テロップが縦サイズ以上でないと判定し、ステップＡ１９に進む。ステップＡ１９では、制御部１０は、「スクロール無し」をスクロールの有無を示すフラグとしてＲＡＭ５０に記憶し、ステップＡ９に進む。
【００７０】
ステップＡ２０では、制御部１０は、再生時間よりテロップのスクロール時間が長いか否かを判定する。テロップのスクロール時間は、テロップとして表示する文字列に含まれる文字が順次テロップ表示領域に表示され、スクロールされて、テロップ表示領域から消えるまでの時間である。すなわち、制御部１０は、表示方向が「横」である場合、ステップＡ１６で求めた横サイズを、スクロール速度で除算し、除算した値をテロップのスクロール時間とする。表示方向が「縦」である場合、ステップＡ１８で求めた縦サイズを、スクロール速度で除算し、除算した値をテロップのスクロール時間として算出する。スクロール速度は、文字列を移動させる速度であり、たとえばスライドショー設定８１に予め設定されている。
【００７１】
制御部１０は、算出したテロップのスクロール時間が、ＲＡＭ５０に記憶されるスライドショー情報５４に含まれるファイル再生時間８２が示す再生時間よりも長いとき、再生時間よりテロップのスクロール時間が長いと判定し、ステップＡ２３に進む。算出したスクロール時間が、ＲＡＭ５０に記憶されるスライドショー情報５４に含まれるファイル再生時間８２が示す再生時間よりも長くないとき、再生時間よりテロップのスクロール時間が長くないいと判定し、ステップＡ２１に進む。
【００７２】
ステップＡ２１では、制御部１０は、テロップをスクロール表示する。具体的には、制御部１０は、予め定める時間間隔で、テロップ表示領域に表示する文字列をスクロール速度に応じて移動し、移動した文字列に対して、ステップＡ１０での処理と同様に処理して、文字列画像データに変換し、変換した文字列画像データを、ステップＡ１０での処理と同様に静止画像データに合成し、合成した画像データを表示部２０に送る。表示部２０は、制御部１０から受け取った合成された画像データを映像として表示する。
【００７３】
ステップＡ２２では、制御部１０は、設定された再生時間が経過したか否かを判定する。具体的には、制御部１０は、現在表示している静止画像の表示を開始した時点から、ＲＡＭ５０に記憶されるスライドショー情報５４に含まれるファイル再生時間８２が示す再生時間が経過したとき、ステップＡ２に戻り、現在表示している静止画像の表示を開始した時点から、ＲＡＭ５０に記憶されるスライドショー情報５４に含まれるファイル再生時間８２が示す再生時間が経過しなかったとき、ステップＡ２１に戻る。制御部１０は、ステップＡ２２からステップＡ２に戻るとき、ＲＡＭ５０に記憶されるスライドショー情報５４に含まれるファイル再生時間８２を、スライドショー処理部８０に記憶されるスライドショー設定８１に含まれるファイル再生時間８２の値に設定し直して、ステップＡ２に戻る。
【００７４】
ステップＡ２３では、制御部１０は、テロップのスクロール時間を今回の再生時間として設定し、ステップＡ２１に進む。具体的には、制御部１０は、ステップＡ２０で算出したテロップのスクロール時間を、ＲＡＭ５０に記憶されるスライドショー情報５４に含まれるファイル再生時間８２として記憶して、ステップＡ２１に進む。
【００７５】
このように、情報を表示する表示部２０を含み、複数の静止画像を順次表示部２０に表示するスライドショー機能を有する表示装置で静止画像を表示するにあたって、着脱可能なＵＳＢメモリ９０は、静止画像を表す画像データと該静止画像に関連する情報を文字列で表すメタデータとを対応付けて記憶する。そして、制御部１０は、装着されたＵＳＢメモリ９０に記憶される画像データが表す静止画像をスライドショー機能によって順次表示部２０に表示させるとき、表示部２０に表示すべき静止画像の画像データに対応付けられるメタデータをＵＳＢメモリ９０から読み出し、表示部２０に表示すべき静止画像に、前記読み出したメタデータが表す文字列をテロップとして合成し、文字列を合成した静止画像を表示部２０に表示させる。したがって、ユーザコメントなどの文字列をメタデータとして着脱可能なＵＳＢメモリ９０に記憶しておけば、スライドショー機能でテロップを表示することができる。
【００７６】
さらに、制御部１０は、文字列をスクロールして表示部２０に表示させるので、メタデータが表す文字列、たとえばユーザコメントを目立つように表示することができる。
【００７７】
さらに、表示部２０は、表示画面を有する。そして、制御部１０は、表示画面の領域内に文字列をテロップとして表示するためのテロップ表示領域を形成し、前記メタデータが表す文字列の長さがテロップ表示領域の長手方向の長さ以上であるとき、前記メタデータが表す文字列をテロップ表示領域内でスクロールして表示部２０に表示させる。したがって、文字数の多い文字列を表示することができる。
【００７８】
さらに、スライドショー処理部８０は、１つの静止画像を表示するためのファイル再生時間８２を記憶する。そして、制御部１０は、表示部２０に表示する静止画像の画像データに対応付けられるメタデータが表す文字列をスクロールして表示するのに要するスクロール時間が、スライドショー処理部８０に記憶されるファイル再生時間８２よりも長いとき、ファイル再生時間８２を前記スクロール時間に変更する。したがって、静止画像の表示時間が短い場合には、スクロールする文字列の表示が完了するまで表示時間が自動的に延長されるので、ユーザの利便性が向上する。
【００７９】
さらに、表示部２０は、表示画面を有する。操作入力部３０は、表示画面の領域のうち文字列をテロップとして表示する位置を指定する。そして、制御部１０は、表示画面の領域のうち操作入力部３０によって指定された位置に、前記メタデータが表す文字列をテロップとして表示する。したがって、ユーザは、テロップを表示する位置を事前に設定することによって、所望の位置にテロップを表示することができる。
【００８０】
さらに、情報を表示する表示部２０と、静止画像を表す画像データと該静止画像に関連する情報を文字列で表すメタデータとを対応付けて記憶するＵＳＢメモリ９０とを含み、複数の静止画像を順次表示部２０に表示するスライドショー機能を有する表示装置で静止画像を表示する表示方法で静止画像を表示するにあたって、図６に示したフローチャートにおいて、ステップＡ２では、装着されたＵＳＢメモリ９０に記憶される画像データが表す静止画像をスライドショー機能によって順次表示部２０に表示させるとき、表示部２０に表示すべき静止画像の画像データに対応付けられるメタデータをＵＳＢメモリ９０から読み出す。ステップＡ９，Ａ１０では、表示部２０に表示すべき静止画像に、ステップＡ２で読み出したメタデータが表す文字列をテロップとして合成する。そして、ステップＡ９，Ａ１０では、ステップＡ９，Ａ１０で文字列が合成された静止画像を表示部２０に表示する。したがって、ユーザコメントなどの文字列をメタデータとして着脱可能なＵＳＢメモリ９０に記憶しておけば、スライドショー機能でテロップを表示することができる。
【符号の説明】
【００８１】
１  表示装置
１０  制御部
２０  表示部
２１  コントローラ
２２  ＶＲＡＭ
２３  液晶モニタ
３０  操作入力部
４０  ＲＯＭ
５０  ＲＡＭ
６０  ＵＳＢ処理部
７０  メタデータ処理部
７１  文字列変換処理部
７２  映像変換処理部
８０  スライドショー処理部
８１  スライドショー設定部
９０  ＵＳＢメモリ
９１  情報記憶部
【図３】
0005712032.tif 000002
【図５】
0005712032.tif 000003
【図６】
0005712032.tif 000004
【図１】
0005712032.tif 000005
【図２】
0005712032.tif 000006
【図４】
0005712032.tif 000007